(57)【要約】  本発明は、電気部品に関し、この電気部品は、貫通開口部を有する閉じられたリードフレームと、前記貫通開口部内に配設される少なくとも１つの電気素子とを備え、前記電気素子は、当該電気素子の第１の側には第１のコンタクトパッドを有し、前記電気素子の前記第１の側に対向する第２の側には第２のコンタクトパッドを有しており、前記第２のコンタクトパッドは、前記リードフレームと電気的に結合され、さらに前記電気素子を、前記リードフレームに機械的に結合させるカプセル化部が設けられている。
2015521803.tif 000002
【特許請求の範囲】
【請求項１】
電気部品であって、
貫通開口部（３）を有する閉じられたリードフレーム（２）と、
前記貫通開口部（３）内に配設される少なくとも１つの電気素子（５）とを備え、
前記電気素子（５）は、当該電気素子（５）の第１の側（１１）には第１のコンタクトパッド（６）を有し、前記電気素子（５）の前記第１の側（１１）に対向する第２の側（１２）には第２のコンタクトパッド（７）を有しており、
前記第２のコンタクトパッド（７）は、前記リードフレーム（２）と電気的に結合され、さらに
前記電気素子（５）を、前記リードフレーム（２）に機械的に結合させるカプセル化部（９）が設けられていることを特徴とする電気部品。
【請求項２】
前記リードフレーム（２）は、前記カプセル化部（９）を前記リードフレーム（２）に固定するように構成された、少なくとも１つのアンカー構造部（１０）を有している、請求項１記載の電気部品。
【請求項３】
前記リードフレーム（２）は、一方の側に、切欠部（４）を有しており、前記切欠部（４）は、前記リードフレーム（２）の縁部（１３）から前記貫通開口部（３）まで延在している、請求項１または２記載の電気部品。
【請求項４】
前記電気素子（５）は、光電子素子、特に発光素子、特に発光ダイオードである、請求項１から３いずれか１項記載の電気部品。
【請求項５】
前記カプセル化部（９）は、光電子素子（５）のためのレンズを形成する、請求項４記載の電気部品。
【請求項６】
電気部品を製造するための方法であって、
支持体シート（１）を準備するステップと、
前記支持体シート（１）上に、貫通開口部（３）有する閉じられたリードフレーム（２）を被着するステップと、
前記リードフレーム（２）の貫通開口部（３）内に少なくとも１つの電気素子（５）を配設し、前記電気素子（５）の第１のコンタクトパッド（６）を前記支持体シート（１）に接触接続させるステップと、
前記電気素子（５）と前記リードフレーム（２）上にカプセル化部（９）を被着するステップと、
前記支持体シート（１）を除去するステップとを含んでいることを特徴とする方法。
【請求項７】
前記電気素子（５）の第２のコンタクトパッド（７）は、特にボンディングワイヤによって前記リードフレーム（２）に電気的に結合される、請求項６記載の方法。
【請求項８】
電気部品を製造するための方法であって、
支持体シート（１）を準備するステップと、
前記支持体シート（１）上に、複数の貫通開口部（３）有するリードフレーム装置（１４）を被着するステップと、
前記各貫通開口部（３）内に少なくとも１つの各電気素子（５）を配設し、前記各電気素子（５）の各第１のコンタクトパッド（６）を前記支持体シート（１）に接触接続させるステップと、
前記各電気素子（５）の各第２のコンタクトパッド（７）を、前記リードフレーム装置（１４）に電気的に結合させるステップと、
前記各電気素子（５）を前記リードフレーム装置（１４）に機械的に結合させるために、前記各電気素子（５）と前記リードフレーム装置（１４）上にカプセル化部（９）を被着するステップと、
前記支持体シート（１）を除去するステップと、
前記各電気素子を個別化するステップとを含んでいることを特徴とする方法。
【発明の詳細な説明】
【技術分野】
【０００１】
本発明は、電気部品および該電気部品の製造方法に関している。
【背景技術】
【０００２】
この出願は、独国特許出願第１０  ２０１２  ２１１  ２２０．０号の優先権を主張するものであり、これによって、当該特許出願の開示内容も参照により本願明細書に含まれる。
【０００３】
例えば発光ダイオード（ＬＥＤ）などの電気素子は、部品支持体、いわゆるリードフレーム上に取付け可能であり、完成した電気部品のために、注型材料と一緒にカプセル化される。電機部品の十分に高い機械的安定性を保証するために、機械的支持構造、例えばセラミック基板または予備成形されたケーシング部品が使用されている。しかしながらセラミック基板は高価であり、予備成形されたケーシング部品は、付加的なプロセスステップを必要とする。
【０００４】
それ故、本発明の課題は、機械的支持構造を持たない低コストで容易に製造できる電機部品を提供することにある。
【０００５】
前記課題は、本発明による電気部品であって、貫通開口部を有する閉じられたリードフレームと、前記貫通開口部内に配設される少なくとも１つの電気素子とを備え、前記電気素子は、当該電気素子の第１の側には第１のコンタクトパッドを有し、前記電気素子の前記第１の側に対向する第２の側には第２のコンタクトパッドを有しており、前記第２のコンタクトパッドは、前記リードフレームと電気的に結合され、さらに前記電気素子を、前記リードフレームに機械的に結合させるカプセル化部が設けられている、電気部品を提供することによって解決される。
【０００６】
この電気部品は、閉じられたリードフレームの貫通開口部内に配置されている。このリードフレームは閉じられているので、すなわち、中断することなく前記電気部品を取り囲んでいるので、非常に高い機械的な安定性を有し、そのため、追加の機械的な支持構造部を何も必要としない。
【０００７】
有利には、前記リードフレームは、前記カプセル化部を前記リードフレームに固定するように構成された、少なくとも１つのアンカー構造部を有している。
【０００８】
このアンカー構造部を介して前記カプセル化部と前記リードフレームとの結合が強化される。それと共に前記カプセル化部も、当該電気部品の機械的な安定性に貢献する。
有利には、前記リードフレームは、一方の側に、前記リードフレームの縁部から前記貫通開口部へ延在する切欠部を有している。
【０００９】
このリードフレーム縁部から前記貫通開口部へ延在する切欠部を介すことによって、前記電気素子に、接続用の導体路を導くことができるようになる。
【００１０】
有利には、前記電気素子は、光電子素子、特に発光素子、特に発光ダイオードである。
【００１１】
有利には、前記カプセル化部は、前記光電子素子のためのレンズを形成している。
【００１２】
前記カプセル化部は、有利には、光電子素子から発光される若しくは光電子素子によって受光されるビームに対して透過性であり、レンズとして構成されている場合には、それによって、均等な放射若しくは電気素子へのビームの集束化を達成する。
【００１３】
さらに、本発明は、電気部品を製造するための方法であって、支持体シートを準備するステップと、前記支持体シート上に、貫通開口部有する閉じられたリードフレームを被着するステップと、前記リードフレームの貫通開口部内に少なくとも１つの電気素子を配設し、前記電気素子の第１のコンタクトパッドを前記支持体シートに接触接続させるステップと、前記電気素子と前記リードフレーム上にカプセル化部を被着するステップと、前記支持体シートを除去するステップとを含んだ方法が提供される。
【００１４】
その貫通孔部内に電気素子が配設されている閉じられたリードフレームは、高い安定性を有しており、そのため、付加的な機械的支持構造部は何も必要とされない。支持体シートの除去によって、前記電気素子は、比較的僅かな高さしか有さなくなる。電気素子の第１のコンタクトパッドは、当該電気素子のはんだ接合部として用いることができ、そのため当該電気素子の下方でリードフレームによる付加的な熱抵抗は引き起こされない。
【００１５】
有利には、前記電気素子の第２のコンタクトパッドは、特に、ワイヤボンディングによって、前記リードフレームと電気的に結合されている。
【００１６】
第２のコンタクトパッドがリードフレームと電気的に接続されているので、このリードフレームは、当該電気部品のためのはんだ接合部として用いることが可能である。
【００１７】
さらに本発明によれば、電気部品を製造するための方法であって、
支持体シートを準備するステップと、前記支持体シート上に、複数の貫通開口部有するリードフレーム装置を被着するステップと、前記各貫通開口部内に少なくとも１つの各電気素子を配設し、前記各電気素子の各第１のコンタクトパッドを前記支持体シートに接触接続させるステップと、前記各電気素子の各第２のコンタクトパッドを、前記リードフレーム装置に電気的に結合させるステップと、前記各電気素子を前記リードフレーム装置に機械的に結合させるために、前記各電気素子と前記リードフレーム装置上にカプセル化部を被着するステップと、前記支持体シートを除去するステップと、前記各電気素子を個別化するステップとを含んでいる、方法が提供される。
【００１８】
以下では、本発明の実施例を、図面に基づき詳細に説明する。
【図面の簡単な説明】
【００１９】
【図１】支持体シートの実施例を示した図
【図２】リードフレームを有する支持体シートの実施例を示した図
【図３】リードフレームと電気素子とを有する支持体シートの実施例を示した図
【図４】リードフレームと電気素子とカプセル化部とを有する支持体シートの実施例を示した図
【図５】本発明による電機部品の実施例を示した図
【図６】リードフレーム装置の実施例を示した図
【００２０】
実施例
以下の詳細な説明では、本発明の実行可能な特定の実施形態を例示的に示した部分が掲載されている添付の図面を参照する。以下の説明において、例えば「上方」、「下方」、「前方」、「後方」、「正面方向」、「裏面方向」などの方向性を表す用語は、当該の説明に用いている図面内での配向方向に関連して使用されている。なお複数の実施形態に亘って多くの構成要素は、様々な向きに配置することが可能であるので、それぞれの方向性を表すために用いられている用語は、例示を目的とし、限定を意味するものではないことを述べておく。また、他の実施形態への応用や構造的変更ないし論理的変更も、本発明の保護範囲を逸脱することなく行うことができることも理解されたい。当然のことながら、本明細書に記載の様々な例示的実施形態の多数の特徴は、特に言及がなくてもそれらを組み合わせて用いることも可能であることを理解されたい。それ故、以下の詳細な説明は、本願発明の限定として捕らえるべきではなく、本発明の権利範囲は、特許請求の範囲によって定められている。
【００２１】
本明細書の枠組みで用いられている「接続される」、「接触される」、「結合される」等の用語には、間接的な接続、直接的または接続も、間接的な接触、直接的な接触も、間接的な結合、直接的な結合も全て含んでおり、それを踏まえた上で一様に用いられている。
【００２２】
図面において、同一若しくは類似の要素には、それが適切である限り同一の参照番号を付与している。なお、便宜上、図面中のすべての要素には、必ずしも特定の参照番号が付与されているわけではない。特にこのことは、他にも同一の要素が多数存在している場合に当て嵌まる。そのときの説明と参照番号は、同じように描写されている全ての要素に有効である。
【００２３】
図１には、支持体シート１の実施例が示されている。ここでは平面図と、一点鎖線「ＡＡ」に沿った断面図とが示されている。支持体シート１は、例えばよいエチレン−テトラフルオロエチレン（ＥＴＦＥ）またはポリエチレン（ＰＥ）から成り得る。支持体シート１は、例えばその上にリードフレーム２が接着される接着剤フィルムであってもよい（図２参照）。支持体シート１は、２０μｍ乃至１００μｍ、特に５０μｍの厚さを有することができる。支持体シート１は、電気部品１５の基礎構造部として用いることが可能である。なぜなら、当該電気部品１５のすべてのさらなる素子がそこに直接的または間接的に配置されるからである。
【００２４】
図２は、図１に基づいて説明したように、リードフレーム２を有する支持体シート１の実施例が示されている。ここでも平面図と、一点鎖線「Ａ−Ａ」に沿った断面図とが示されている。リードフレーム２は、一般に金属で構成され、銅からなっている。この銅は、例えば銀（ＡＧ）、ニッケル金（Ｎｉ−Ａｕ）、ニッケル銀（Ｎｉ−Ａｇ）又はニッケル−パラジウム−金（Ｎｉ−Ｐｄ−Ａｕ）を伴ってコーティングされてもよい。リードフレーム２は、２０μｍ乃至５００μｍの厚さ、特に１５０μｍの厚さを有し得る。
【００２５】
リードフレーム２は、貫通開口部３を有し、この貫通開口部３は、リードフレーム２の中央に配置することができる。この「貫通開口部」とは、リードフレーム２を、一方の側から、その側に対向している他方の側まで横断している開口部を意味する。この貫通開口部３は、電気素子５をその中に配置するのに十分な大きさにする必要がある（図３参照）。この貫通開口部３は、たとえそれが図中で矩形状に示されていたとしても、その他の形状を有することは可能である。すなわち、前記貫通開口部３は、例えば、正方形または台形形状であってもよいし、菱形または多角形、楕円または円形であってもよい。また、３つ以上の貫通開口部３が設けられていてもよい。リードフレーム２は、平面図でみて、当該貫通開口部３を、上下左右から取り囲んでいる。このようにリードフレーム２は貫通開口部３の周りを取り囲む遮蔽リング状に形成され、その結果、リードフレーム２の機械的な安定性、および後からの電気部品１５の機械的な安定性を高めている。前記貫通開口部３は、例えばリードフレーム２から鍛造加工若しくはエッチング処理されたものであってもよい。
【００２６】
リードフレーム２は、切欠部４を有していてもよく、この切欠部４は、リードフレーム２の縁部１３から貫通開口部３まで延在している。前記切欠部４は、リードフレーム２の縁部１３から、前記貫通開口部３内に配設されている電気素子５まで、少なくとも１つの電気的接続要素を案内するために用いられる。この切欠部４は、例えばリードフレーム２の厚さの半分程度のところまで十分に深くなければならず、幅も、前記電気的接続要素がリードフレーム２との電気的接触を生じさせない位に広くなければならない。前記切欠部４は、当該平面図に示されているように、リードフレーム２の右方縁部１３から始まっている代わりに、リードフレーム２の左方縁部、下方縁部、または上方縁部から始まっていてもよい。また前記切欠部４は、例えば貫通開口部３内の複数の電気素子５の接続のために、あるいは、電気素子５の複数のコンタクトパッドの接続のために、複数設けられていてもよい。前記切欠部４は、エッチング処理されてもよい。電気素子５の第１のコンタクトパッド６がいわゆるビアを介して接続可能な場合には、前記切欠部４は省くことができる。また前記切欠部４は、カプセル化材料で充填することもできる。そのようにすれば、当該の電気部品の半田付けの際の短絡事故を未然に回避することができる。
【００２７】
リードフレーム２は、アンカー構造部１０を有していてもよい。このアンカー構造部１０は、カプセル化部９をリードフレーム２に固定するのに用いられる（例えば図４参照）。このアンカー構造部１０は、前記カプセル化部９が、相対向する２つの側、例えば図２の断面図におけるリードフレーム２の上側と下側で、接触するように構成されていてもよい。それにより、リードフレーム２との相対的なカプセル化部９の不所望な上方移動若しくは下方移動が回避される。図２の平面図では、カプセル化部９の左方若しくは右方への移動、あるいは、上方若しくは下方への移動が、貫通開口部３によって回避される。図２の平面図では、前記アンカー構造部１０が、貫通開口部３の左方縁部のみに示されているが、このアンカー構造部１０は、前記貫通開口部３の右方縁部若しくは上方縁部若しくは下方縁部に設けられてもよいし、それらの縁部配置を組み合わせてもよい。また前記リードフレーム２は、例えば当該リードフレーム２内で別のさらなる貫通開口部３だけから形成されるさらなるアンカー構造部１０を有していてもよい。このさらなる貫通開口部３内には、電気素子５を収容する必要がないので、このさらなる貫通開口部は、図示の貫通開口部３より小さくてもよい。
【００２８】
図３には、リードフレーム２と、図１および図２に関連して説明したような電気素子５とを有している、支持体シート１の実施例が示されている。ここでも平面図と、一点鎖線「Ａ−Ａ」に沿った断面図とが示されている。前記電気素子５は、任意の電気素子であり得る。そのため前記電気素子は、光電子素子、例えば赤外線領域（ＩＲ）の発光素子であってもよいし、可視光領域の発光素子であってもよい。あるいは電磁ビームのための検出器、例えば赤外線領域または可視領域の電磁ビームのための検出器であってもよい。また前記電気素子５は、例えば回路を静電放電（ＥＳＤ）から保護するためのさらなる構成要素を有していてもよい。
【００２９】
前記電気素子５は、第１の側１１と第２の側１２とを有している。この第１の側１１と第２の側１２は、互いに相対向していてもよい。第１の側１１には、第１のコンタクトパッド６が配設されており、この第１のコンタクトパッド６は、前記第１の側１１を完全に覆っている。前記第１のコンタクトパッド６は、前記第１の側１１の一部のみを覆っていてもよい。また前記第１の側１１に、複数のコンタクトパッド６が配置されていてもよい。前記第２の側１２には、第２のコンタクトパッド７が配置されており、この第２のコンタクトパッド７は、前記第２の側１２の一部のみを覆っている。この第２のコンタクトパッド７は、前記電気素子５をその全面にわたって覆っているわけではないので、電気素子５は、その比較的広範囲な面積を介して電磁ビームを受光可能若しくは放出可能である。前記第２のコンタクトパッド７は、前記第２の側１２に任意に配置することができ、そのため、例えばそれが電磁ビームに対して透過性である場合には、全面に亘って配置することができる。前記第１のコンタクトパッド６と第２のコンタクトパッド７は、電気素子５の電気的な接続のために用いられている。前記第１のコンタクトパッド６は、電気部品１５のはんだ接合部として直接用いてもよい。前記第２のコンタクトパッド７は、ボンディングワイヤ８を介してリードフレーム２と電気的に接続される。それにより前記リードフレーム２は、電気部品１５のさらなるはんだ接合部を形成し得る。
【００３０】
電気素子５は、貫通開口部３に挿入される。第１のコンタクトパッド６は、支持体シート１と接触接続していてもよい。この支持体シート１が接着フィルムである場合には、前記電気素子５は、支持体シート１に接着によって固定される。リードフレーム２と第１のコンタクトパッド６の両方が前記支持体シート１上に載置されるので、当該断面図でみて下側になるそれらの表面も平面となる。前記第１のコンタクトパッド６と前記リードフレーム２は、当該電気部品１５のコンタクト要素も形成し得るので、電気部品１５は容易に半田付けされる。
【００３１】
図４には、図１乃至図３に関連して説明したような支持体シート１、リードフレーム２、および電気素子５の実施例がカプセル化部９と共に示されている。ここでもそれらは平面図と、一点鎖線「Ａ−Ａ」に沿った断面図とで示されている。カプセル化部９は、ポリマー、エポキシ材料またはシリコーンからなっていてもよいし、注型材料であってもよい。前記電気素子５が、光電子素子である場合には、前記カプセル化部９は、電気素子５の設計仕様に応じた電磁放射に対して透過性であると有利である。可視光用では、前記カプセル化部９は透明であってもよく、赤外線検出器用には、前記カプセル化部は黒色であってもよい。
【００３２】
前記カプセル化部９は、レンズの形態で構成することもできる。それにより、電気素子５から放出された電磁ビームが均等にかつ集束されて放出される。電気素子５が電磁ビームを受光すべき場合には、前記カプセル化部９は、電磁ビームを当該電気素子５上に集束させるように成形されていてもよい。
【００３３】
また前記カプセル化部９は、成形材料であってもよいし、前記貫通開口部３と前記アンカー構造部１０内に流入させてもよい。それにより前記カプセル化部９は、リードフレーム２と固定的に結合される。前記カプセル化部９は、前記電気素子５とボンディングワイヤ８とを覆って、それらを損傷から保護することも可能である。前記カプセル化部９は、前記リードフレーム２の縁部１３まで延在していてもよいし、そこまで延在していなくてもよい。
【００３４】
図５には、電気部品１５の実施例が平面図と、一点鎖線「Ａ−Ａ」に沿った断面図で示されている。この電気部品１５は、図４で説明したように構成されており、図４との相違は、支持体シート１が除去されている点である。支持体シート１が粘着フィルムである場合または接着剤で固定されている場合には、リードフレーム２から剥離することができる。電気素子５とリードフレーム２は、カプセル化部９を用いて一緒に保持される。リードフレーム２は閉じられているので、すなわち、電気素子５を環状に取り囲んで、中断部を有していないので、リードフレーム２は十分に高い機械的安定性を有する。そのため、機械的支持構造の追加は不要である。
【００３５】
断面図で示されているように、第１のコンタクトパッド６とリードフレーム２は、下方に向かって露出され、電気部品１５の接続のために接触接続され得る。第１のコンタクトバッド６に対する電気的な導体路は、導電性リードフレーム２との短絡接続なしで切欠部４を通って案内される。
【００３６】
電気素子５によって発生した熱は、第１のコンタクトパッド６を介して対応するはんだ接合部から直接排出することができる。通常は電子素子５が配置されるリードフレームの熱抵抗は除外される。電気素子５は、リードフレーム２上ではなく、リードフレーム２の貫通開口部３内に配置されているため、電気部品１５は、僅かな高さしか有さない。
【００３７】
図６には、リードフレーム装置１４の実施例が平面図で示されている。図１乃至図５において説明した電気部品１５を製造するためのステップは、多数の電気部品１５用のリードフレーム装置１４を用いて効率的に実行可能となる。個別のリードフレーム２の代わりに、１つのリードフレーム装置１４が支持体シート１上に配置される。このリードフレーム装置１４は、対応する複数の貫通開口部３を備えた関連する複数のリードフレーム２の形態を有し、それらは、第１の方向Ｘと第２の方向Ｙとに向かってマトリクス状に配置されている。図１乃至図５に関連させて説明した前記複数のステップは、各貫通開口部３毎に個別に実施される。前記ステップは、その一部が複数の貫通開口部３と平行して実施されてもよい。前記支持体シート１は、除去が可能であり、さらに前記リードフレーム装置１４は、第１の方向Ｘと第２の方向Ｙに沿った複数の分離線１６に沿って、例えば打ち抜きステップまたはソーイングステップによって個々の電気部品１５に分割することができる。
【符号の説明】
【００３８】
１      支持体シート
２      リードフレーム
３      貫通開口部
４      切欠部
５      電気素子
６      第１のコンタクトパッド
７      第２のコンタクトパッド
８      ボンディングワイヤ
９      カプセル化部
１０    アンカー構造部
１１    電気素子の第１の側
１２    電気素子の第２の側
１３    リードフレームの縁部
１４    リードフレーム装置
１５    電気部品
１６    分離ライン
Ｘ      第１の方向
Ｙ      第２の方向
【図１】
2015521803.tif 000003
【図２】
2015521803.tif 000004
【図３】
2015521803.tif 000005
【図４】
2015521803.tif 000006
【図５】
2015521803.tif 000007
【図６】
2015521803.tif 000008
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
電気部品であって、
貫通開口部（３）を有する閉じられたリードフレーム（２）と、
前記貫通開口部（３）内に配設される少なくとも１つの電気素子（５）とを備え、
前記電気素子（５）は、当該電気素子（５）の第１の側（１１）には第１のコンタクトパッド（６）を有し、前記電気素子（５）の前記第１の側（１１）に対向する第２の側（１２）には第２のコンタクトパッド（７）を有しており、
前記第２のコンタクトパッド（７）は、前記リードフレーム（２）と電気的に結合され、さらに
前記電気素子（５）を、前記リードフレーム（２）に機械的に結合させるカプセル化部（９）が設けられている、電気部品において、
前記リードフレーム（２）が、一方の側に切欠部（４）を有しており、
前記切欠部（４）は、前記リードフレーム（２）の縁部（１３）から前記貫通開口部（３）まで延在し、さらに、
前記切欠部（４）は、少なくとも１つの電気的接続要素を、前記リードフレーム（２）の縁部（１３）から前記貫通開口部（３）内に配設されている前記電気素子（５）まで接続させるために用いられることを特徴とする電気部品。
【請求項２】
前記リードフレーム（２）は、前記カプセル化部（９）を前記リードフレーム（２）に固定するように構成された、少なくとも１つのアンカー構造部（１０）を有している、請求項１記載の電気部品。
【請求項３】
前記電気素子（５）は、光電子素子、特に発光素子、特に発光ダイオードであり、前記カプセル化部（９）は、電磁ビームに対して透過性である、請求項１または２記載の電気部品。
【請求項４】
前記カプセル化部（９）は、光電子素子（５）のためのレンズを形成する、請求項３記載の電気部品。
【請求項５】
前記カプセル化部（９）は、注型材料である、請求項１から４いずれか１項記載の電気部品。
【請求項６】
電気部品を製造するための方法であって、
支持体シート（１）を準備するステップと、
前記支持体シート（１）上に、貫通開口部（３）有する閉じられたリードフレーム（２）を被着するステップと、
前記リードフレーム（２）の貫通開口部（３）内に少なくとも１つの電気素子（５）を配設し、前記電気素子（５）の第１のコンタクトパッド（６）を前記支持体シート（１）に接触接続させるステップと、
前記電気素子（５）の第２のコンタクトパッド（７）を、前記リードフレーム（２）に電気的に結合させるステップと、
前記電気素子（５）と前記リードフレーム（２）上にカプセル化部（９）を被着させ、前記カプセル化部（９）が前記電気素子（５）を前記リードフレーム（２）に機械的に結合させるステップと、
前記支持体シート（１）を除去するステップとを含んでいる、方法であって、
前記リードフレーム（２）が、一方の側に切欠部（４）を有し、
前記切欠部（４）は、前記リードフレーム（２）の縁部（１３）から前記貫通開口部（３）まで延在し、さらに、
前記切欠部（４）は、少なくとも１つの電気的接続要素を、前記リードフレーム（２）の縁部（１３）から前記貫通開口部（３）内に配設されている前記電気素子（５）まで接続させるようにしたことを特徴とする方法。
【請求項７】
前記電気素子（５）の第２のコンタクトパッド（７）は、ボンディングワイヤによって前記リードフレーム（２）に電気的に結合される、請求項６記載の方法。
【請求項８】
前記リードフレーム（２）は、前記カプセル化部（９）を前記リードフレーム（２）に固定するように構成された、少なくとも１つのアンカー構造部（１０）を含んでいる、請求項６または７記載の方法。
【請求項９】
前記リードフレーム（２）は、支持体シート（１）上に配置されている、複数の貫通開口部が開口しているリードフレーム装置（１４）の一部であり、かつ、複数の電気素子を有する複数のリードフレームは、前記支持体シート（１）を除去した後で個別化される、請求項６から８いずれか１項記載の方法。
【請求項１０】
前記カプセル化部（９）は、注型材料である、請求項６から９いずれか１項記載の方法。
【国際調査報告】
2015521803.tif 000009
2015521803.tif 000010
2015521803.tif 000011
2015521803.tif 000012